(57)【要約】      （修正有）【課題】骨盤の姿勢を適正に保持することができる姿勢矯正具を提供する。【解決手段】下部マット１２の上面に対し上部マット１３を接着剤１４によって接合し、マット１１を形成する。下部マット１２及び上部マット１３の後端部に、後端縁の中央部から前方に向かって延びると共に後端側に開口するスリット１１ｄを形成する。前記マット１１の前端部に膨出部１１ａ，１１ｂを前方に向かって張り出し形成し、その間に凹部１１ｃを形成する。前記下部マット１２の厚さ寸法を、後端縁から前端縁に行くに従い緩やかに低減させて、前端に行くに従い低くなる傾斜面を構成する。【選択図】図１
0003176134.tif 000002
【実用新案登録請求の範囲】
【請求項１】
椅子の尻置き部や床面に載置した状態で、前方へ行くに従い連続的又は段階的に厚さ寸法が減少するようにマット状に形成された姿勢矯正具において、
姿勢矯正具は下部マットと上部マットを接合して形成され、下部マットの硬度よりも上部マットの硬度が低く設定され、かつ、マット状の姿勢矯正具を構成する下部マット及び上部マットの後端部には、後端縁の中央部から前方に向かって延びると共に後端側に開口するスリットが形成され、マット状の姿勢矯正具の前端部には前方に張り出す左右一対の膨出部が形成され、両膨出部の間には凹部が形成されている姿勢矯正具。
【請求項２】
請求項１において、前記下部マットの材質はＥＶＡ樹脂（エチレン・ポリビニルアセテート・共重合体）や合成樹脂の発泡体であり、前記上部マットの材質はＥＶＡ樹脂やポリエチレン樹脂、ポリプロピレン樹脂、ポリウレタン樹脂等その他の合成樹脂又はクロロプレンゴム、天然ゴムあるいはこれらの樹脂又はゴムの発泡体であると共に、ＪＩＳ−Ｋ６２５３に規定されたタイプＥデュロメータを用いて測定され、前記下部マットの硬度は１５度〜８５度に、上部マットの硬度は２度〜４０度に設定されている姿勢矯正具。
【請求項３】
請求項１又は２において、前記下部マットの厚さ寸法は、後端から前端に向かって連続的に小さくなるように設定され、前記上部マットの厚さ寸法は、全体が同一寸法に設定されて、水平面に対するマット全体の支持面の傾斜角度は、２度〜３０度である姿勢矯正具。
【請求項４】
請求項１〜３のいずれか１項において、前記下部マットは、使用状態において僅かに凹むように形成され、前記上部マットは、弾性的に変形可能に形成されている姿勢矯正具。
【考案の詳細な説明】
【技術分野】
【０００１】
本考案は、例えば椅子の尻置き部の上面に載置して、人が座ることにより人体の血流を向上し、人体の疲れや腰痛等の病気を抑制するための姿勢矯正具に関するものである。
【背景技術】
【０００２】
従来、椅子に用いられるマットは、主として人体の尻部を冷やさないようにしたり、クッション性を向上させて、座り心地を良くしたり疲れを抑制したりするために用いられている。このマットは、例えば発泡合成樹脂あるいは綿等を袋状の布製のカバーの内部に収容し、全体をほぼ同じ厚さ寸法に形成するようになっている。
【考案の開示】
【考案が解決しようとする課題】
【０００３】
ところが、上記従来のマットは、全体がほぼ同じ厚さ寸法になっているか、尻の下になる部分が少しく窪んでいる状態だったので、例えば椅子に用いた場合、支持面が水平あるいは円弧状に窪んだ状態になる。このため、人体の尻部を支持した状態で、骨盤の左右一対の腸骨の間に仙腸関節を介して結合されている仙骨の姿勢が適正に保たれなくなる場合がある。又、尻全体が嵌まり込んで時間が経つと、血行が悪くなる傾向がある。このため、第５腰椎と仙骨の間の歪み（ファーガソンの傾き）が生じて、血液の流れや神経の働き、あるいは肩こりや腰痛、冷え性、出産等に悪影響を及ぼしていることが分かった。背骨の一番下にある仙骨の姿勢が悪くなると、背骨全体の姿勢が悪くなって、背骨、腰骨、座骨、仙骨、仙腸関節等を通る神経や血管が圧迫され、前述した弊害を生じることになる。
【０００４】
本考案は、上記従来の技術に存する問題点を解消して、骨盤の姿勢を適正に保持して、血液の流れや骨盤を通る神経の圧迫を未然に防止して、疲労を抑制し、肩こりや腰痛、冷え性、あるいはその他の健康上の問題を改善することができる姿勢矯正具を提供することにある。
【課題を解決するための手段】
【０００５】
上記問題点を解決するために、請求項１に記載の考案は、椅子の尻置き部や床面に載置した状態で、前方へ行くに従い連続的又は段階的に厚さ寸法が減少するようにマット状に形成された姿勢矯正具において、姿勢矯正具は下部マットと上部マットを接合して形成され、下部マットの硬度よりも上部マットの硬度が低く設定され、かつ、マット状の姿勢矯正具を構成する下部マット及び上部マットの後端部には、後端縁の中央部から前方に向かって延びると共に後端側に開口するスリットが形成され、マット状の姿勢矯正具の前端部には前方に張り出す左右一対の膨出部が形成され、両膨出部の間には凹部が形成されていることを要旨とする。
【０００６】
請求項２に記載の考案は、請求項１において、前記下部マットの材質はＥＶＡ樹脂（エチレン・ポリビニルアセテート・共重合体）や合成樹脂の発泡体であり、前記上部マットの材質はＥＶＡ樹脂やポリエチレン樹脂、ポリプロピレン樹脂、ポリウレタン樹脂等その他の合成樹脂又はクロロプレンゴム、天然ゴムあるいはこれらの樹脂又はゴムの発泡体であると共に、ＪＩＳ−Ｋ６２５３に規定されたタイプＥデュロメータを用いて測定され、前記下部マットの硬度は１５度〜８５度に、上部マットの硬度は２度〜４０度に設定されていることを要旨とする。
【０００７】
請求項３に記載の考案は、請求項１又は２において、前記下部マットの厚さ寸法は、後端から前端に向かって連続的に小さくなるように設定され、前記上部マットの厚さ寸法は、全体が同一寸法に設定されて、水平面に対するマット全体の支持面の傾斜角度は、２度〜３０度であることを要旨とする。
【０００８】
請求項４に記載の考案は、請求項１〜３のいずれか１項において、前記下部マットは、使用状態において僅かに凹むように形成され、前記上部マットは、弾性的に変形可能に形成されていることを要旨とする。
【考案の効果】
【０００９】
本考案は、例えば椅子に使用した場合に、骨盤の姿勢を適正に保持し、血液の流れや神経の圧迫を未然に防止して、疲労を抑制し、肩こりや腰痛、冷え性、あるいはその他の健康上の問題を改善することができる。また、スリットの形成により使用していない状態にあっては、マット状の姿勢矯正具の変形（反り）が解消され、下部マットの硬度及び上部マットの硬度がそれぞれ所定範囲に設定されているため使用状態において、適度なクッション性が保たれ、快適な使用感を得ることができる。
【図面の簡単な説明】
【００１０】
【図１】この考案の姿勢矯正具としてのマットの一実施形態を示す斜視図。
【図２】マットの中央部縦断面図。
【図３】マットの横断面図。
【図４】マットの平面図。
【図５】硬質樹脂シートからシート片を製造する工程を示す斜視図。
【図６】シート片からか下部マット成形用シートを製造する工程を示す斜視図。
【図７】マット成形用シートの製造工程を示す斜視図。
【図８】マット成形用シートからマットを製造する工程を示す斜視図。
【図９】マットを椅子に載置した状態を示す平面図。
【図１０】マットの使用状態を示す側面図。
【図１１】（ａ）は骨盤を示す正面図、（ｂ）は背骨と仙骨の側面図。
【図１２】マットの使用状態を示す平面図。
【図１３】マットの別例を示す正面図。
【図１４】マットの別例を示す正面図。
【図１５】マットの別例を示す正面図。
【図１６】（ａ）、（ｂ）、（ｃ）はマットの成形方法を説明する断面図。
【図１７】姿勢矯正具を用いた椅子の側面図。
【図１８】マット付き椅子を有する自動車の略体側面図。
【図１９】マットの別例を示す斜視図。
【図２０】マットの別例を示す断面図。
【図２１】時間と血流量との関係を示す実験データのグラフ。
【図２２】時間と血流量との関係を示す実験データのグラフ。
【考案を実施するための最良の形態】
【００１１】
以下、本考案を具体化したマット及びその製造方法の一実施形態を図１〜図１２に従って説明する。
斜視図を表わす図１のマット１１は、下部マット１２と上部マット１３とを接着剤１４によって接合して形成されている。マット１１の前端部には左右一対の膨出部１１ａ，１１ｂが一体に形成されている。前記膨出部１１ａ，１１ｂの間には凹部１１ｃが形成されている。マット１１の後端縁には幅方向の中央部に位置するように前方に向かってスリット１１ｄが形成されている。 
【００１２】
図２に示すように、前記下部マット１２の後端縁及び前端縁の厚さ寸法をＴ１，Ｔ２、上部マット１３の後端縁及び前端縁の厚さ寸法をＴ３，Ｔ４とすると、各厚さ寸法Ｔ１〜Ｔ４は次のように設定されている。前記厚さ寸法Ｔ２は前記厚さ寸法Ｔ１よりも小さく設定されている。一方、上部マット１３の厚さ寸法Ｔ３，Ｔ４は同一寸法に設定されている。下部マット１２の後端縁から前方に所定長さの領域Ａは、該下部マット１２の後端縁の厚さ寸法Ｔ１と同じに設定されている。領域Ａの前端から下部マット１２の前端縁までの領域Ｂの厚さ寸法Ｔ１〜Ｔ２は連続的に小さくなるようにしている。前記領域Ａの長さ寸法は例えば５ｃｍ〜８ｃｍ、領域Ｂの長さ寸法は１０ｃｍ〜２５ｃｍ又は１２ｃｍ〜１５ｃｍに設定されている。マット１１の幅寸法は例えば１５ｃｍ〜４５ｃｍ又は１５ｃｍ〜２００ｃｍに設定されている。
【００１３】
前記下部マット１２の後端縁の厚さ寸法Ｔ１は、３ｍｍ〜３０ｍｍ、５ｍｍ〜２５ｍｍ又は７ｍｍ〜１５ｍｍの範囲に、前記下部マット１２の前端縁の厚さ寸法Ｔ２は、２ｍｍ〜２５ｍｍの範囲に設定されている。上部マット１３の厚さ寸法Ｔ３，Ｔ４は、１ｍｍ〜３０ｍｍ又は３ｍｍ〜２５ｍｍの範囲に設定されている。具体的には、前記各厚さ寸法は、使用目的に応じて例えば以下の３段階に設定されている。すなわち、座る時間の長短によって、例えば座る時間が２時間以内のときには、下部マット１２の後端縁の厚さ寸法Ｔ１は、３ｍｍ〜３０ｍｍ又は５ｍｍ〜２５ｍｍに設定され、前端縁の厚さ寸法Ｔ２は、１ｍｍ〜１０ｍｍに設定されている。一例として、厚さ寸法Ｔ１を１２ｍｍに、厚さ寸法Ｔ２を４ｍｍに設定している。上部マット１３の後端縁及び前端縁の厚さ寸法Ｔ３，Ｔ４は、同じ１５ｍｍに設定されている。前記下部マット１２の後端縁及び前端縁の厚さ寸法Ｔ１，Ｔ２は、いずれの段階も前述した寸法と同じ寸法とし、上部マット１３の厚さ寸法Ｔ３，Ｔ４を段階的に変化させている。２時間以上座る場合には、上部マット１３の厚さ寸法Ｔ３，Ｔ４を１０ｍｍとし、さらに座る時間が長くなる場合には、前記厚さ寸法Ｔ３，Ｔ４を１ｍｍ〜７ｍｍ又は２ｍｍ〜５ｍｍにしている。上部マット１３の厚さ寸法が大きくなると、血液の回りが速くなり過ぎて身体が怠くなるので、長時間座るのに用いるマット１１の上部マット１３の厚さ寸法は薄くすることが望ましい。
【００１４】
下部マット１２の後端縁の厚さ寸法Ｔ１を３〜３０ｍｍ又は３〜２０ｍｍに、前端縁の厚さ寸法Ｔ２を、１ｍｍ〜１０ｍｍに設定し、上部マット１３の後端縁の厚さ寸法Ｔ３を１〜３０ｍｍ又は５ｍｍ〜２５ｍｍに、前端縁の厚さ寸法Ｔ４を、３ｍｍ〜２５ｍｍに設定してもよい。
【００１５】
又、図４に示す前記スリット１１ｄの長さ寸法Ｌは、例えば２ｃｍ〜１０ｃｍに設定され、この実施形態では例えば５ｃｍに設定している。スリット１１ｄの入口の幅寸法Ｗは、例えば２ｍｍ〜５ｍｍに設定され、この実施形態では１ｍｍに設定されている。さらに、スリット１１ｄの内端部の幅寸法Ｄは、例えば１ｍｍ〜２０ｍｍ又は３ｍｍ〜１５ｍｍに設定され、この実施形態では５ｍｍに設定されている。
【００１６】
前述したように、各寸法を設定することによって、マット１１を水平な椅子の尻置き部又は床面に載置した状態で、水平面に対するマット１１の上面（支持面）の傾斜角度は、２度〜３０度又は５度〜２８度となる。望ましい傾斜角度は、４度〜２０度又は５度〜１５度で、さらに望ましい傾斜角度は５度〜８度である。
【００１７】
前記下部マット１２の材質は、不織布、ＳＢＲ（スチレン・ブタジエン・ラバー）等の合成ゴム、ＥＶＡ樹脂（エチレン・ポリビニルアセテート・共重合体）、ポリウレタン樹脂、ポリエチレン樹脂及びポリプロピレン樹脂のいずれか１つのゴム又は樹脂あるいはこれらのゴム又は樹脂の発泡体、さらには前記ゴムや樹脂材料のうち複数の材料の複合体、複合発泡体の群の中から選択される。上部マット１３の材質は、クロロプレンゴム、ＮＢＲ（アクリル・ニトリル・ブタジエン・ラバー）、ポリイソプレン・ラバー、ポリブタジエン・ラバー、ＥＶＡ等の合成ゴム、天然ゴム、天然ゴムラテックス、ポリウレタン樹脂、弗素樹脂、シリコーン樹脂、ＥＶＡ樹脂等のゴムや樹脂又はこれらのゴムや樹脂の発泡体の群の中から選択される。前記下部マット１２の硬度は１５度〜８５度の範囲内で例えば５０度に設定され、上部マット１３の硬度は２度〜４０度の範囲内で例えば１１度に設定されている。前記硬度の測定には、日本工業規格：ＪＩＳ−Ｋ６２５３：タイプＥデュロメータ（硬度計）と、日本ゴム協会基準規格：タイプＣ硬度計（スプリング硬さ試験機）を用いた。財団法人  化学物質評価研究機構  大阪事業所にて上記の二種類の硬度計を用いて測定した結果、両者はほぼ同じ硬度となった。
【００１８】
前記下部マット１２と上部マット１３の材質選定と、硬度の設定に際して、次の点を考慮するのが望ましい。すなわち、下部マット１２は、使用状態において尻部によって僅かに凹む硬度に設定され、望ましい硬度は３５度〜７５度であり、さらに望ましい硬度は５０度〜６２度である。一方、上部マット１３は、従来のクッションや座布団のようにふわっとして、柔軟性が有り過ぎた状態で、尻部が嵌まり込んでしまわないように、しかも、一定の厚みで粘りけがあって、グニャグニャ動くようなソフトな材料を用いる。その硬度を５度〜２８度に設定するのが望ましく、さらに望ましいのは１０度〜２０度である。
【００１９】
次に、前記マット１１の製造方法を図５〜図８に基づいて説明する。    
最初の工程では、図５に示すように例えば硬質材としてのＥＶＡ樹脂（エチレン・ポリビニルアセテート・共重合体）又はポリウレタン樹脂の発泡体よりなるシート２１を複数のシート片２２に裁断する。
【００２０】
次の工程では、図６に示すようにシート片２２の厚さ方向の中間部を切断予定線２３に沿って、厚さ寸法がシート片２２の幅方向に変化するように上下２層に切断して、上下２枚の下部マット成形用シート２４を形成する。
【００２１】
上記工程により得られた下部マット成形用シート２４の上面に対し図７に示すように例えば軟質材としてのクロロプレンゴム又はポリウレタン樹脂の発泡体よりなる上部マット成形用シート２５を接着剤１４により接着することによりマット成形用シート２６を製造する。
【００２２】
このマット成形用シート２６を図８に示すように裁断予定線２７に沿って所定形状に裁断するか、あるいはプレスにより打ち抜き成型してマット１１を製造する。
このようにして製造されたマット１１には布製のカバーが被覆される。このカバーの材料としてはポリエステル、ナイロン等の合成繊維又は天然繊維を使用した伸縮性のあるニット編みの素材が適切である。あるいは、ポリウレタン糸を使用するか、又は、混紡した織物や編み物でもよい。さらに、皮革、合成皮革あるいは人工皮革でも良い。少し伸縮性をもつ材料が良い。これらのカバーはマイナスイオン加工又は遠赤外線加工を施すのが望ましい。  
【００２３】
次に、前記のように構成したマット１１についてその動作を説明する。
図９は上方から見た椅子３１の尻置き部３２に対しマット１１を載置した状態を示す。このように膨出部１１ａ，１１ｂが前方（図９の下方）を指向するようにマット１１を載置した状態で、図１０に示すように、マット１１の上面に腰掛ける。このマット１１の使用状態においては、マット１１の厚さ寸法の前後端縁での相違により、マット１１全体が前方（図１０の左方）ほど緩やかに低くなるように傾斜される。このため、人体３３が前傾姿勢になり、骨盤３６が前傾姿勢へと自然に矯正され、肩こりや腰痛、冷え性等の人体の不調を調整したりヒップアップの効果をも期待できる。この理由を以下に説明する。
【００２４】
図１１（ａ）は人の骨盤３６の正面を表す。骨盤３６は左右一対の腸骨３７とその間に仙腸関節３８を介して結合された仙骨３９と、前記腸骨３７の下端部間を連結する座骨４０とにより構成されている。図１１（ｂ）は背骨４１と前記仙骨３９を側面からみた状態を示す。背骨４１の最下端部の第５の腰椎４２には関節４３を介して前記仙骨３９が連結されている。図１０に示すマット１１の使用状態においては、マット１１によって座骨４０を少し前傾させることになり、仙骨３９と腸骨３７を接続する仙腸関節３８が動き、仙骨３９も正常な状態である少し前傾の状態をとることができる。仙骨３９を前傾させることにより背骨４１の位置が正常化され、血管運動神経が刺激されることで、血液の流れが良くなる。換言すれば、このマット１１を使用することによって、良い姿勢を維持し易くなり、血行も良くなり人体の機能が活性化される。
【００２５】
従来のマットは、全体が同じ厚さ寸法であったため、使用状態において、図１１（ｂ）に示す第５の腰椎４２と仙骨３９との間の関節４３が少し緩んで、仙骨３９の傾斜を適正に保てない状態となる。この結果、腰痛を発生させる場合が多い。しかしながら、前記実施形態のマット１１はこの問題を解消することができる。
【００２６】
この実施形態のマット１１は、以下のように使用することもできる。
図１２に示すように人体３３が仰向けになって寝た状態で、例えば背中の上部と腰の下に複数のマット１１を敷いてもよい。又、リラックスチェアの場合、背もたれ部と背中との間に１枚又は複数枚のマット１１を挟むようにして用いてもよい。さらに正座したり、あぐらの状態で、あるいは足を延ばしたり、横座りしたりした状態で尻部の下にマット１１を敷いて用いてもよい。
【００２７】
上記実施形態のマット１１によれば、以下のような特徴を得ることができる。
（１）上記実施形態では、椅子３１の尻置き部３２にマット１１を載置した状態で、マット１１が前方へ行くに従い連続的に厚さ寸法が減少するように形成した。このため人体３３が椅子に腰掛けた状態で、座骨を少し前傾させることになり、仙骨と腸骨を接続する仙腸関節が動き、仙骨も正常な状態である少し前傾の状態をとることができる。仙骨を前傾させることにより脊髄の位置が正常化され、血管運動神経が刺激されることで、後述する実験データで示すように血液の流れが良くなる。
【００２８】
（２）上記実施形態では、前記マット１１は下部マット１２と、上部マット１３を接着剤１４により接合して形成し、下部マット１２の硬度よりも、上部マット１３の硬度を低く設定した。このため比較的軟らかい上部マット１３によってクッション性を高めることができ、座り心地を良くして長時間の使用に耐えられるものとなる。又、比較的柔らかい上部マット１３によって尻部が下部マット１２の傾斜している上面において所定の範囲内でグニャグニャ動くので、傾斜面に沿って摺り落ちることもない。下部マット１２も適度な硬さとなっているので、骨盤の座骨がマット１１上で動き易くなり、血行を良くして疲れを抑制することができる。又、肩こりや腰痛、冷え性、あるいはその他の健康上の問題を改善することができる。
【００２９】
（３）上記実施形態では、前記マット１１の左右両側部に前方に張り出す膨出部１１ａ，１１ｂが形成され、両膨出部の間には凹部１１ｃが形成されている。このため図１０に示すように椅子３１に腰掛けた状態で、左右の太腿が膨出部１１ａ，１１ｂに支持され、太腿の水平方向への動きに追従して、膨出部１１ａ，１１ｂが動くため使用感を向上することができる。又、図１２に示すように人体３３が仰向けになって寝た状態で、人体３３の背中の動きに追従してマット１１の膨出部１１ａ，１１ｂも動くため使用感を向上することもできる。
【００３０】
（４）上記実施形態では、前記マット１１の後端縁に前方に向かってスリット１１ｄが形成されている。このため、左右の尻部がマット１１の上面において接近又は離隔する方向に互いに移動しようとした場合に、その移動を円滑に行い、尻部の疲れを軽減し、マット１１の変形を防止することができる。
【００３１】
（５）上記実施形態では、前記下部マット１２の硬度が１５度〜９０度又は２０度〜８５度に設定され、上部マット１３の硬度が２度〜２５度に設定されている。このためマット１１の使用状態において、適度なクッション性が保たれ、快適な使用感を得ることができる。
【００３２】
（６）上記実施形態では、前記下部マット１２の厚さ寸法は、後端から前端に向かって連続的に小さくなるように設定され、上部マット１３の厚さ寸法は、全体が同一寸法に設定されている。このため、前方に行くに従い若干下方に傾斜する下部マット１２に対し比較的軟らかい上部マット１３が尻部全体を一様にソフトに支持することができる。従って、下部マット１２が傾斜しているという感覚をそれほど感じることなく、快適に使用することができる。又、上部マット１３も使用場所や使用目的により下部マット１２に近い傾斜面としてもよい。この場合、マット全体の支持面の傾斜角度は、やはり２度〜３０度又は５度〜２８度に設定する。望ましい傾斜角度は、４度〜２０度又は５度〜１５度で、さらに望ましい傾斜角度は５度〜８度である。
【００３３】
（７）上記実施形態では、ＥＶＡ樹脂の発泡体よりなる硬質樹脂シート２１を複数のシート片２２に裁断する。シート片２２の厚さ方向の中間部を切断予定線２３に沿って、厚さ寸法がシート片２２の幅方向に変化するように上下２層を切断して、上下２枚の下部マット成形用シート２４を形成する。上記工程により得られた下部マット成形用シート２４の上面に対し接着剤１４により上部マット成形用シート２５を接着することによりマット成形用シート２６を製造する。このマット成形用シート２６を裁断予定線２７に沿って所定形状に裁断あるいはプレス成型してマット１１を製造する。このため、二層構造のマット１１の製造を容易に行いコストの低減を図ることができる。
【００３４】
なお、本実施形態は以下のように変更してもよい。
○  図１３，図１４，図１５は、マット１１を前方から見た正面図を示す。これらのマット１１の左右方向の形状は左右の尻部と対応する部分の厚さ寸法を若干薄く形成している。このため、座り心地を良くすることができる。
【００３５】
○  図１６（ａ）に示すように、上部金型５１と、下部金型５２の中に注入口５１ａ，５２ａから溶融されたゴムあるいは樹脂を流し込んで、下部マット１２と、上部マット１３を同時に成形する。溶融ゴムあるいは樹脂を少し時間をおいて流し込んだり、射出したりして硬度差のある無発泡又は発泡体の下部マット１２と上部マット１３を成形するようにしてもよい。この際、ゴムや樹脂の材料の配合を変えて上部マットと下部マットの硬度を調整する。
【００３６】
○  図１６（ｂ）に示すように、下部マット１２を単体で形成し、これを金型５２のキャビティ５２ｂ内に収容する。後工程で、上部金型５１のキャビティ５１ｂ内に溶融されたゴムや樹脂を流し込んだり、射出したりして、上部マット１３を成形するようにしてもよい。又、図１６（ｃ）に示すように、上部マット１３を単体で形成し、これを金型５２のキャビティ５２ｂ内に収容し、後工程で、溶融されたゴムや樹脂を流し込んだり、射出したりして、無発泡又は発泡体の下部マット１２を成形するようにしてもよい。上部マットと下部マットを硬度を変えて別々に金型内で成形して、２種の成型品を接着剤で接合してもよい。この成形方法は、樹脂又はゴム及びその複合体をキャビティ内に射出したり、流し込んだりする方法と、大きなシート板で成形して打ち抜いたものを挿入して成形する方法である。
【００３７】
○  図１７に示すように、椅子３１の尻置き部３２に収容凹所３２ａを形成し、該収容凹所３２ａ内にマット１１を嵌合するようにしてもよい。又、収容凹所３２ａを省略して、尻置き部３２の上面に対しマット１１を接着剤により接着するようにしてもよい。
【００３８】
○  図１８に示すように、自動車５５のシート５６の上面に対しマット１１を装着してもよい。シート５６の上面自体を前方ほど低くなる傾斜面としても良い。その傾斜角度は、２度〜３０度又は５度〜２８度の範囲に設定される。
【００３９】
○  図１９に示すように、マット１１の中央部に、同図実線で示すように円形状の穴１１ｅを形成したり、同図二点鎖線で示すように楕円形状の穴１１ｅを形成したりしてもよい。前記穴１１ｅの内径寸法は、例えば縦（前後方向）２ｃｍ〜１０ｃｍ、横（左右方向）３〜１３ｃｍに設定されている。前記穴１１ｅを凹部としてもよい。これらの別例においては前記穴１１ｅにより肛門と対応する部分が凹んでいるので、痔病の人に好適である。
【００４０】
○  図２０に示すように、前記下部マット１２の厚さ寸法を後端部から前端部に向かって連続的に短くするとともに、前記上部マット１３の厚さ寸法も後端部から前端部に向かって連続的に短くするようにしてもよい。又、この別例においてマット１１の後部側に図２に示す前記領域Ａを形成してもよい。
【００４１】
○  図示しないが、下部マット１２、中間部マット及び上部マット１３を接着剤あるいは融合等により接合してマット１１を形成してもよい。中間部マットの硬度よりも、上部マット１３の硬度を低く設定し、下部マット１２の硬度を中間部マットの硬度よりも高く設定してもよい。又、中間部マットの硬度よりも、上部マットの硬度を低く設定し、下部マットの硬度を中間部マットの硬度よりも低く、かつ上部マットの硬度と同じかそれよりも高く設定してもよい。この場合にはマット１１全体が尻の動きに追従し易くなり、尻の筋肉が弱くなった中高年者や老人が使用した場合に、疲労感を低減することができる。なお、これらの場合にもマット全体の支持面の傾斜角度は２度〜３０度又は５度〜２８度の範囲に設定される。
【００４２】
上記の三層構造のマット１１の場合、上部マット１３の硬度は、２度〜３０度に、望ましくは５度〜２０度又は７度〜１５度に、さらに望ましくは１０度〜１３度に設定される。又、中間部マットの硬度は、１０度〜８５度、望ましくは１０度〜１３度、４０度〜７０度又は４５度〜６０度、５０度〜６０度又は５５度〜５８度に設定される。下部マットの硬度は、中間部マットより硬くする場合には、１５度〜９０度又は２０度〜８５度に、望ましくは５５度〜８５度又は５０度〜８０度に、さらに望ましくは６０度〜７０度に設定される。反対に下部マットの硬度を中間部マットよりも柔らかくする場合には、下部マットの硬度は３度〜４５度又は５度〜４０度に、望ましくは７度〜３５度又は１０度〜３０度に、さらに望ましくは１３度〜２５度又は１５度〜２０度に設定される。この三層構造のマット１１は、椅子の表面のクッション性が低い場合に用いられる。
【００４３】
上記のように三層のマットの硬度範囲を設定することにより正常な人間は勿論、猫背や腰痛あるいは車椅子を使用している人にも適したマットとすることができる。
○  図示しないが、マットを一種類の材料により一体的に形成し、その厚さ寸法を、前方に行くに従い連続的又は段階的に減少するようにしてもよい。
【００４４】
○  前記マット１１を前方へ行くに従い段階的に厚さ寸法が減少するように形成してもよい。
○  下部マット１２の厚さ寸法を、後端から前端に向かって段階的に小さくなるように設定し、上部マット１３の厚さ寸法を、全体が同一寸法になるように設定してもよい。  
【００４５】
○  前記本実施形態において、上部マット１３の厚さ寸法を、後端から前端に行くに従い、連続的に又は段階的に小さくなるようにしてもよい。
○  前記本実施形態において、下部マット１２と上部マット１３の硬度の設定を、上下逆の設定にしてもよい。
【００４６】
○  テーパ形状の下部マット１２を、金型のキャビティ内にゴム又は樹脂を流し込んでモールド成形したり、射出成形したりしてもよい。又、これらを発泡体にしてもよい。上下のマットを異種材料とする場合には上部マット１３に接着する側の面を粗面加工したり、プライマーをコーティング処理して接着性を良くすることが望ましい。
【００４７】
○  金型のキャビティ内にウレタン樹脂等を同時に流し込むときには、硬度を変えた配合の樹脂で、二層又は三層構造としたり、樹脂の発泡率を変えて硬度の異なる二層又は三層構造としたりすることも可能である。
【００４８】
○  下部マット１２及び上部マット１３の材料として、発泡ゴムや発泡樹脂に代えて、無発泡のゴムや樹脂を用いてもよい。
○  マット１１に対し前後が識別できるように、前後を表す文字や記号等の識別手段を施してもよい。この場合にはマット１１を間違えて使用するのを防止することができる。
【００４９】
○  複数のマットの接合は接着剤あるいは図１６に示す型成形時に生じるマット相互のゴムや樹脂の融合以外に縫着や係合凹部と係合凸部を互いに係合するものであってもよい。
【００５０】
（実験データ）
前述した実施形態のマット１１の効果を測定した実験データを、図２１及び図２２に基づいて説明する。マット１１の規格は、下部マット１２の後端縁の厚さ寸法Ｔ１を１２ｍｍ、厚さ寸法Ｔ２を４ｍｍ、上部マット１３の後端縁及び前端縁の厚さ寸法Ｔ３，Ｔ４を、１５ｍｍとした。マット１１の支持面の傾斜角度は、１５度である。さらに、下部マット１２の材質は、ＥＶＡ樹脂で、その硬度は５０度、上部マット１３の材質はクロロプレンゴムで、その硬度は１８度である。
【００５１】
人体の血流量を測定する測定器として、レーザードップラー血流量計を用いた。測定項目は、左手人差し指、指尖血流量である。
データの収集、解析に際して、使用した機器は次の通りである。
【００５２】
ＭＰ１００Ａ（ＢＩＯＰＡＣ  Ｓｙｓｔｅｍｓ  ｌｎｃ．製）Ａｃｑｋｎｏｗｌｅｄｇｅ３．７．０  ＭＳ  Ｅｘｃｅｌ  ２０００
実験は、産業医科大学にて行った。２００サンプル／秒で収集し、１００点でスムージング処理してグラフ化した。マット敷前後のデータを１分毎に区切り、平均値±標準偏差を計算しグラフ化した。
【００５３】
図２１及び図２２に示すグラフは、異なる被測定者のデータである。このデータから明らかなように、左手指の血流量がマットを使用しない状態と、使用した状態ではかなりの差があることが分かった。
【符号の説明】
【００５４】
Ｔ１，Ｔ２，Ｔ３，Ｔ４…厚さ寸法、１１…マット、１１ａ，１１ｂ…膨出部、１１ｃ，５７ａ…凹部、１１ｄ…スリット、１２…下部マット、１３…上部マット、１４…接着剤、２１，５６…シート、２２…シート片、２３…切断予定線、２４…下部マット成形用シート、２５…上部マット成形用シート、２６…マット成形用シート、２７…切断裁断予定線、３１…椅子、５１ｂ，５２ｂ…キャビティ、５２…金型。
【図１】
0003176134.tif 000003
【図２】
0003176134.tif 000004
【図３】
0003176134.tif 000005
【図４】
0003176134.tif 000006
【図５】
0003176134.tif 000007
【図６】
0003176134.tif 000008
【図７】
0003176134.tif 000009
【図８】
0003176134.tif 000010
【図９】
0003176134.tif 000011
【図１０】
0003176134.tif 000012
【図１１】
0003176134.tif 000013
【図１２】
0003176134.tif 000014
【図１３】
0003176134.tif 000015
【図１４】
0003176134.tif 000016
【図１５】
0003176134.tif 000017
【図１６】
0003176134.tif 000018
【図１７】
0003176134.tif 000019
【図１８】
0003176134.tif 000020
【図１９】
0003176134.tif 000021
【図２０】
0003176134.tif 000022
【図２１】
0003176134.tif 000023
【図２２】
0003176134.tif 000024
【手続補正書】
【提出日】平成24年4月20日(2012.4.20)
【手続補正１】
【補正対象書類名】実用新案登録請求の範囲
【補正対象項目名】請求項３
【補正方法】変更
【補正の内容】
【請求項３】
請求項１又は２において、前記下部マットの厚さ寸法は、後端から前端に向かって連続的に小さくなるように設定されると共に、前記上部マットの厚さ寸法は、全体が同一寸法に設定される場合と、前記下部マットの厚さ寸法及び前記上部マットの厚さ寸法は、同じく後端から前端に向かって連続的に小さくなるように設定される場合とがあり、いずれの場合も水平面に対するマット全体の支持面の傾斜角度は、２度〜３０度である姿勢矯正具。
【手続補正２】
【補正対象書類名】明細書
【補正対象項目名】０００７
【補正方法】変更
【補正の内容】
【０００７】
請求項３に記載の考案は、請求項１又は２において、前記下部マットの厚さ寸法は、後端から前端に向かって連続的に小さくなるように設定されると共に、前記上部マットの厚さ寸法は、全体が同一寸法に設定される場合と、前記下部マットの厚さ寸法及び前記上部マットの厚さ寸法は、同じく後端から前端に向かって連続的に小さくなるように設定される場合とがあり、いずれの場合も水平面に対するマット全体の支持面の傾斜角度は、２度〜３０度であることを要旨とする。